(57)【要約】      （修正有）【課題】手動操作又は電動操作による回転円筒体の開閉蓋より生ゴミ等の有機廃棄物と微生物とを混合したものを回転操作によって生ゴミを効率的に処理できる回転用生ゴミ処理機である。【解決手段】ゴミ処理機本体は、回転軸の外周に回転円筒体を固定し、その回転円筒体の一部に投入用の開閉自在の投入蓋を設け、該回転円筒体の両側面に該回転円筒体より外周が大きい回転用の操作円盤を固定する。該回転軸の外周の一部に、複数の内周撹拌棒と、該回転円筒体の内周面にも複数の外周撹拌棒を各々突設したものである。【選択図】図１
0003146800.tif 000002
【実用新案登録請求の範囲】
【請求項１】
ゴミ処理機本体（１）は、各種の支持枠台（１０）に載置する回転軸（２）の外周に回転円筒体（３）を固定し、該回転円筒体（３）には、外周の一部に開閉自在の投入蓋（８）を設けると共に、内周に複数の外周撹拌棒（９）（９）を突設し、且つ該回転円筒体（３）の両側面には、該回転円筒体（３）より外周が大きい回転用の操作円盤（５）（５）を取着し、該回転軸（２）には、内部に複数の内周撹拌棒（６）（６）を突設した事を特徴とする回転用生ゴミ処理機。
【請求項２】
請求項１における操作円盤（５）の一方に車輪（１２）を取付けると共に、支持枠台（１０）にモーター（１４）を載置し、該車輪（１２）と該モーター（１４）とにベルト（１３）を架設した請求項１記載の回転用生ゴミ処理機。
【考案の詳細な説明】
【技術分野】
【０００１】  本考案は、支持枠台に載置した回転円筒体の内部に生ゴミ等の有機廃棄物と微生物との混合したものを常時の回転操作によって生ゴミを効率的に処理する回転用生ゴミ処理機に関するものである。
【背景技術】
【０００２】  従来この種の一般家庭で出来る生ゴミ処理に関しては、各種の生ゴミを積層して、自然の微生物の働きによって発酵分解させるものが多々存在するが、これ等の場合は、長期間の日時が掛かるものである。また、生ゴミの悪臭、生ゴミが増量する欠点がある。更に、ゴミ処理には、燃焼業者のものか、または、大型の生ゴミ処理装置が散見されているが、これ等は、施設に場所が必要であり、且つ高価格であると共に、一般家庭では実施が不可能であると云う問題点もある。
【考案の開示】
【考案が解決しようとする課題】
【０００３】  本考案は、上記の従来の問題点を解決するために考案したものであって、その目的とする所は、熱源等を不使用としたゴミ処理機本体を著しく小型化に製造し、回転円筒体の容易な開閉の投入蓋により女性、子供でも生ゴミを投入でき、且つ操作円盤をゆっくりと手によって加減して回転できる簡単な作業によって確実に生ゴミを滅少処理する回転用生ゴミ処理機を提供するものである。
【課題を解決するための手段】
【０００４】  上記目的を達成するために、本考案における回転用生ゴミ処理機は、ゴミ処理機本体を支持枠台に、回転円筒体の回転軸を可動自在に載置する。該回転円筒体の外周の一部に開閉自在の投入蓋を形成する。
また、該回転円筒体の両側面に手操作のできる操作円盤を取付けてある。
そして、回転円筒体の内周の一部に複数の生ゴミ撹拌用の内周撹拌棒を突設してある。
さらに、該回転軸の外周の一部にも生ゴミ撹拌用の内周撹拌棒を形成したものである。
また、オプションとして、支持枠台に設けたモーターと、操作円盤の外側に設けた車輪とにベルトを架設した電動型を構成したものである。
【考案の効果】
【０００５】  本考案は、上述記述した通りの構成であるので、従来の生ゴミ処理装置と異なり、広い設置場所が不要で、一般家庭の狭い場所でも使用できると共に、生ゴミの処理作業が女性、子供でも簡単にできる効果がある。そして、回転軸の外周に回転円筒体を設け、その一部に開閉自在の投入蓋を設けたので、投入蓋を上方に位置して開放すれば、生ゴミと微生物とが容易に挿入できる効果がある。また、該回転円筒体の両側面に設けた回転の操作円盤によっては、回転円筒体の回転操作が個人でも容易に速く又はゆっくりと回転を自由に加減して回す事ができる便利な効果がある。更に、回転円筒体の内周面の外周撹拌棒と、回転の外周に設けた内周撹拌棒とによっては、内部に投入した生ゴミや挿入する微生物等との混合が内部全体で充分に撹拌できるので、有機廃棄物を敏速に分解、消滅できる有効な効果がある。
【考案を実施するための最良の形態】
【０００６】  次に、本考案の最良の形態を説明すると、ゴミ処理機本体は、支持枠台の支脚によって設置され、回転円筒体の外周に設けた開閉自在の投入蓋を開放し、該回転円筒体の内部に有機廃棄物である例えば、生ゴミ、鶏フン、牛フン、汚泥及びペットのフン等と微生物とを挿入し、その後、該開閉自在の投入蓋を閉蓋した後に、両側に設けた操作円盤又は筒体を手で持って、手前又は前方に数十回程度回転する。該回転円筒体の内部に設けてある内周撹拌棒と外周撹拌棒とによって、良好に混合撹拌され、回転が終了したら、該投入蓋を開放し、別個に製作されている投入蓋の位置に嵌合する防虫用の役目と通気をする網戸を以って閉鎖し、その状態で充分に時間を掛ける事によって生ゴミが分解処理される。
【実施例】
【０００７】  次に、実施例を図面について説明すると、図１及至図４に示すゴミ処理機本体（１）は、各種の枠組された支持枠台（１０）の上端に載置される。該ゴミ処理機本体（１）には、回転軸（２）の外周に円形状の回転円筒体（３）を位置する。該回転円筒体（３）には、両側面に相対する該回転円筒体（３）より外周が大きい操作円盤（５）（５）を固定すると共に、該操作円盤（５）（５）は固定環体（７）（７）によって該回転軸（２）に固定されている。
また、該回転円筒体（３）には、円周の一部に出入自在となる挿入口を設けた開閉自在の投入蓋（８）を蝶番（１５）（１５）によって開閉自在に出来るようになっている。
更に、該回転円筒体（３）には、内周面の一部に撹拌用の複数の外周撹拌棒（９）（９）を突設してある。また、該回転軸（２）には、該回転円筒体（３）の内周を撹拌する複数の内周撹拌棒（６）（６）を突設形成してある。
次に、図５と図６に示すものは、本考案の電動型のゴミ処理機本体（１）を示すものであって、該支持枠台（１０）の下端にモーター（１４）を設置し、該操作円盤（５）の外側に装着した車輪（１２）と、該モーター（１４）との間にベルト（１３）を架設したものである。手操作の困難な人達には、大変便利な電動型としたものである。
また、本考案に使用する微生物は、本考案人が開発した、主に炭酸ガスと水蒸気に分解して処理する微生物基材のことであり、自然の微生物から出来ているので安心して使用されるものである。なお、符号（１１）は、ゴミ処理機を設置する調整用の支脚を示すものである。
【図面の簡単な説明】
【０００８】
【図１】  本考案の全体の正面図である。
【図２】  同じく本考案の内部を開示した全体の縦断正面図である。
【図３】  本考案の内部を開示した側面図である。
【図４】  同じく回転円筒体の内部開示した断面図である。
【図５】  同じく本考案の電動用のゴミ処理機の全体斜面図である。
【図６】  本考案の電動用の内部を開示した側面図である。
【符号の説明】
【０００９】１            ゴミ処理機本体
２            回転軸
３            回転円筒体
５            操作円盤
６            内周撹拌棒
７            固定環体
８            投入蓋
９            外周撹拌棒
１１          支持枠台
１２          車輪
１３          ベルト
１４          モーター
【図１】
0003146800.tif 000003
【図２】
0003146800.tif 000004
【図３】
0003146800.tif 000005
【図４】
0003146800.tif 000006
【図５】
0003146800.tif 000007
【図６】
0003146800.tif 000008